(57)【特許請求の範囲】
【請求項１】
液体を収容する液体収容体を支持する底壁と、前記底壁の端部である第一端部に設けられ、前記液体収容体に備えられる中空状の口栓を支持する支持部と、前記底壁に支持される前記液体収容体を挟んで前記底壁の両側に対向配置される側壁とを備えるケース本体と、
前記側壁が対向する方向である第一方向に延びる軸部であって、前記軸部の端部から前記軸部と略同軸で前記側壁に向けて突出する軸支部を有し、前記第一方向に直交し且つ前記第一端部から反対側の第二端部へ向かう第二方向へ延び且つ前記第二方向と反対の第三方向へ復元力を生じるように付勢される弾性部材の前記第二方向側の端部と係合して、前記弾性部材の付勢力で前記第三方向へ移動可能な前記軸部と、
前記側壁に設けられ、前記第二方向に延びて前記軸支部を支持する第一支持部と、
前記軸支部を挟んで前記第一支持部とは反対側に設けられ、前記第一支持部との間で前記軸支部を挟持することが可能な第二支持部と、
前記第二支持部が設けられ、前記第二支持部が前記第一支持部との間で前記軸支部を狭持する作用位置と、前記第二支持部が前記軸支部から離隔する解除位置との間で、前記第二支持部の位置を切り替える切替部材と
を備えたことを特徴とするカートリッジケース。
【請求項２】
前記切替部材は、
前記第一方向において前記側壁と並んで配置され、前記第二支持部を前記作用位置に移動させる第一位置と、前記第二支持部を前記解除位置に移動させる第二位置との間で移動可能な可動体と、
前記可動体を付勢することで、前記可動体を前記第一位置に保持する付勢部材と、
前記可動体が前記第一位置にある場合に、前記ケース本体に形成された開口部を介して前記ケース本体から突出する突出部とを有し、
前記可動体は、前記突出部が押圧された場合、前記付勢部材の付勢力に抗って、前記第一位置から前記第二位置に移動することを特徴とする請求項１に記載のカートリッジケース。
【請求項３】
前記可動体は、前記第二方向に延びる開口であるスライド開口を備え、
前記軸支部は、前記スライド開口の内部において、前記第二方向に移動可能であり、
前記第二支持部は、前記軸支部と対向する前記スライド開口の辺部に設けられることを特徴とする請求項２に記載のカートリッジケース。
【請求項４】
前記付勢部材は、板バネであり、
前記ケース本体は、前記底壁に設けられた、前記付勢部材の第一部分が係合される第一バネ係合部を有し、
前記可動体は、前記付勢部材の第二部分が係合される第二バネ係合部を有することを特徴とする請求項２又は３に記載のカートリッジケース。
【請求項５】
前記付勢部材が前記可動体を付勢する付勢力は、少なくとも前記カートリッジケースの自重よりも小さいことを特徴とする請求項４に記載のカートリッジケース。
【請求項６】
前記軸支部は、周方向に複数の歯が形成されたギアであり、
前記第一支持部は、前記軸支部が係合可能な複数の歯が前記第二方向に並んで形成されたラックであることを特徴とする請求項１から５の何れかに記載のカートリッジケース。
【請求項７】
前記軸支部は、周方向に複数の歯が形成されたギアであり、
前記第二支持部は、前記軸支部が係合可能な複数の歯が前記第二方向に並んで形成されたラックであることを特徴とする請求項１から６の何れかに記載のカートリッジケース。
【請求項８】
前記ケース本体に対して前記第二方向及び前記第三方向にスライド移動するケース蓋と、
前記ケース蓋に設けられ前記可動体に向けて突出する第一係止部材と、
前記可動体に設けられた、前記第一係止部材を係止可能な部位である規制部とを備え、
前記ケース蓋は、前記可動体が前記第一位置にある場合、前記規制部が前記第一係止部材に接触することでスライド移動が規制され、且つ、前記可動体が前記第二位置にある場合、前記規制部が前記第一係止部材から離隔することでスライド移動が可能になることを特徴とする請求項２に記載のカートリッジケース。
【請求項９】
前記ケース本体に対して前記第二方向及び前記第三方向に向けて、開始位置及び終了位置の間でスライド移動するケース蓋と、
前記ケース蓋に設けられた部材であって、前記可動体に向けて突出する第二係止部材とを備え、
前記第二係止部材は、前記ケース蓋が前記開始位置と前記終了位置の間の位置にある場合、前記解除位置にある前記第二支持部を支持し、且つ、前記ケース蓋が前記開始位置又は前記終了位置にある場合、前記第二支持部から離隔することを特徴とする請求項２又は８に記載のカートリッジケース。
【請求項１０】
液体を収容する液体収容体を支持する底壁と、前記底壁の端部である第一端部に設けられ、前記液体収容体に備えられる中空状の口栓を支持する支持部と、前記底壁に支持される前記液体収容体を挟んで前記底壁の両側に対向配置される側壁とを備えるケース本体と、
前記側壁が対向する方向である第一方向に延びる軸部であって、前記軸部の端部から前記軸部と略同軸で前記側壁に向けて突出する軸支部を有し、前記第一方向に直交し且つ前記第一端部から反対側の第二端部へ向かう第二方向へ延び且つ前記第二方向と反対の第三方向へ復元力を生じるように付勢される弾性部材の前記第二方向側の端部と係合して、前記弾性部材の付勢力で前記第三方向へ移動可能な前記軸部と、
前記側壁に設けられ、前記第二方向に延びて前記軸支部を支持する第一支持部とを備え、
前記軸支部は、周方向に複数の歯が形成されたギアであり、
前記第一支持部は、前記軸支部が係合可能な複数の歯が前記第二方向に並んで形成されたラックであることを特徴とするカートリッジケース。
【請求項１１】
液体を収容する液体収容体を支持する底壁と、前記底壁の端部である第一端部に設けられ、前記液体収容体に備えられる中空状の口栓を支持する支持部と、前記底壁に支持される前記液体収容体を挟んで前記底壁の両側に対向配置される側壁とを備えるケース本体と、
前記側壁が対向する方向である第一方向に延びる軸部であって、前記軸部の端部から前記軸部と略同軸で前記側壁に向けて突出する軸支部を有し、前記第一方向に直交し且つ前記第一端部から反対側の第二端部へ向かう第二方向へ延び且つ前記第二方向と反対の第三方向へ復元力を生じるように付勢される弾性部材の前記第二方向側の端部と係合して、前記弾性部材の付勢力で前記第三方向へ移動可能な前記軸部と、
前記側壁に設けられ、前記第二方向に延びて前記軸支部を支持する第一支持部と、
前記底壁に設けられ、前記液体収容体を前記第二方向に沿って支持する第一滑止部材と
を備えたことを特徴とするカートリッジケース。  
【請求項１２】
前記ケース本体の前記底壁に対向する上壁を有するケース蓋と、
前記上壁に設けられ、前記液体収容体に対して前記第二方向に沿って対向する第二滑止部材と
を備えたことを特徴とする請求項１１に記載のカートリッジケース。
【発明の詳細な説明】
【技術分野】
【０００１】
本発明は、液体を収容する液体収容体を収納可能なカートリッジケースに関する。
【背景技術】
【０００２】
従来、液体を収容する液体収容体を収納可能なカートリッジケースが知られている。例えば、特許文献１には、インクパックの内部の液体の残量が少なくなるにつれて、弾性部材の弾性復元力によってインクパックを巻き取ることで、液体を口栓方向へ押し出すインク容器が開示されている。
【先行技術文献】
【特許文献】
【０００３】
【特許文献１】特開２００２−３６１８８２号公報
【発明の概要】
【発明が解決しようとする課題】
【０００４】
しかしながら、特許文献１に例示されるインク容器に落下又は揺動等の外力が加えられた場合、インク容器内でインクパックがずれて適正に巻き取ることができない可能性があった。また、インクが充填されたインクパックの反発力によって、弾性部材が口栓方向とは反対方向に押し戻される可能性があった。
【０００５】
本発明の目的は、カートリッジケースに外力が加えられた場合でも、内部に収容された液体収容体を適正に巻き取り可能なカートリッジケースを提供することである。
【課題を解決するための手段】
【０００６】
本発明の第一態様に係るカートリッジケースは、液体を収容する液体収容体を支持する底壁と、前記底壁の端部である第一端部に設けられ、前記液体収容体に備えられる中空状の口栓を支持する支持部と、前記底壁に支持される前記液体収容体を挟んで前記底壁の両側に対向配置される側壁とを備えるケース本体と、前記側壁が対向する方向である第一方向に延びる軸部であって、前記軸部の端部から前記軸部と略同軸で前記側壁に向けて突出する軸支部を有し、前記第一方向に直交し且つ前記第一端部から反対側の第二端部へ向かう第二方向へ延び且つ前記第二方向と反対の第三方向へ復元力を生じるように付勢される弾性部材の前記第二方向側の端部と係合して、前記弾性部材の付勢力で前記第三方向へ移動可能な前記軸部と、前記側壁に設けられ、前記第二方向に延びて前記軸支部を支持する第一支持部と、前記軸支部を挟んで前記第一支持部とは反対側に設けられ、前記第一支持部との間で前記軸支部を挟持することが可能な第二支持部と、前記第二支持部が設けられ、前記第二支持部が前記第一支持部との間で前記軸支部を狭持する作用位置と、前記第二支持部が前記軸支部から離隔する解除位置との間で、前記第二支持部の位置を切り替える切替部材とを備える。
【０００７】
第一態様のカートリッジケースによれば、第二支持部が作用位置に切り替えられた場合、軸部の移動が規制される。この場合、カートリッジケースに外力が加えられても、軸部のズレが生じにくい。一方、第二支持部が解除位置に切り替えられた場合、軸部の移動規制が解除される。この場合、弾性部材によって付勢される軸部は、カートリッジケース内部に収容された液体収容体を巻き取り可能である。従ってカートリッジケースは、外力が加えられた場合でも液体収容体を適正に巻き取り可能である。
【０００８】
本発明の第二態様に係るカートリッジケースは、液体を収容する液体収容体を支持する底壁と、前記底壁の端部である第一端部に設けられ、前記液体収容体に備えられる中空状の口栓を支持する支持部と、前記底壁に支持される前記液体収容体を挟んで前記底壁の両側に対向配置される側壁とを備えるケース本体と、前記側壁が対向する方向である第一方向に延びる軸部であって、前記軸部の端部から前記軸部と略同軸で前記側壁に向けて突出する軸支部を有し、前記第一方向に直交し且つ前記第一端部から反対側の第二端部へ向かう第二方向へ延び且つ前記第二方向と反対の第三方向へ復元力を生じるように付勢される弾性部材の前記第二方向側の端部と係合して、前記弾性部材の付勢力で前記第三方向へ移動可能な前記軸部と、前記側壁に設けられ、前記第二方向に延びて前記軸支部を支持する第一支持部とを備え、前記軸支部は、周方向に複数の歯が形成されたギアであり、前記第一支持部は、前記軸支部が係合可能な複数の歯が前記第二方向に並んで形成されたラックであることを特徴とする。
【０００９】
第二態様のカートリッジケースによれば、軸支部は周方向に複数の歯が形成されたギアである。第一支持部は、軸支部が係合可能な複数の歯が第二方向に並んで形成されたラックである。これにより、カートリッジケースに外力が加えられた場合であっても、軸部が第二方向にずれるのを防止できる。従ってカートリッジケースは、外力が加えられた場合でも確実に液体収容体を巻き取り可能である。
【００１０】
本発明の第三態様に係るカートリッジケースは、液体を収容する液体収容体を支持する底壁と、前記底壁の端部である第一端部に設けられ、前記液体収容体に備えられる中空状の口栓を支持する支持部と、前記底壁に支持される前記液体収容体を挟んで前記底壁の両側に対向配置される側壁とを備えるケース本体と、前記側壁が対向する方向である第一方向に延びる軸部であって、前記軸部の端部から前記軸部と略同軸で前記側壁に向けて突出する軸支部を有し、前記第一方向に直交し且つ前記第一端部から反対側の第二端部へ向かう第二方向へ延び且つ前記第二方向と反対の第三方向へ復元力を生じるように付勢される弾性部材の前記第二方向側の端部と係合して、前記弾性部材の付勢力で前記第三方向へ移動可能な前記軸部と、前記側壁に設けられ、前記第二方向に延びて前記軸支部を支持する第一支持部と、前記底壁に設けられ、前記液体収容体を前記第二方向に沿って支持する第一滑止部材とを備える。
【００１１】
第三態様のカートリッジケースによれば、第一滑止部材は液体収容体を第二方向に沿って支持する。軸部に巻き取られた液体収容体と第一滑止部材との摺動摩擦が大きくなる。これにより、カートリッジケースに外力が加えられた場合であっても、液体収容体はカートリッジケースの内部で第二方向にずれにくいため、軸部は液体収容体を確実に巻き取り可能である。
【図面の簡単な説明】
【００１２】
【図１】プリンタ１の斜視図である。
【図２】第二ケース６０が閉鎖位置にあるカートリッジ３を斜め上方から見た斜視図である。
【図３】第二ケース６０が開放位置にあるカートリッジ３を斜め上方から見た斜視図である。
【図４】液体収容体３１の平面図である。
【図５】液体収容体３１の正面図である。
【図６】ケース３２の分解斜視図である。
【図７】第一ケース３３の前端側の斜視図である。
【図８】第二ケース６０が閉鎖位置にあるカートリッジ３を斜め下方から見た斜視図である。
【図９】図２のＡ−Ａ線矢視方向断面図である。
【図１０】第二ケース６０の斜視図である。
【図１１】第二ケース６０の前端側、及び押え板２１０，２２０の前端側の斜視図である。
【図１２】カートリッジ３の正面図である。
【図１３】（Ａ）は第二ケース６０が閉鎖位置にあるケース３２の平面図、（Ｂ）は（Ａ）のＢ−Ｂ線矢視方向断面図、及び（Ｃ）は（Ａ）のＣ−Ｃ線矢視方向断面図である。
【図１４】（Ａ）は第二ケース６０が開放位置にあるケース３２の平面図、（Ｂ）は（Ａ）のＢ−Ｂ線矢視方向断面図、（Ｃ）は（Ａ）のＣ−Ｃ線矢視方向断面図、及び（Ｄ）は（Ａ）のＤ−Ｄ線矢視方向断面図である。
【図１５】（Ａ）は第二ケース６０が閉鎖位置と開放位置との間にあるケース３２の平面図、（Ｂ）は（Ａ）のＢ−Ｂ線矢視方向断面図、（Ｃ）は（Ａ）のＣ−Ｃ線矢視方向断面図、及び（Ｄ）は（Ａ）のＤ−Ｄ線矢視方向断面図である。
【図１６】（Ａ）は第二ケース６０が閉鎖位置にあるケース３２の平面図、（Ｂ）は（Ａ）のＢ−Ｂ線矢視方向断面図、（Ｃ）は（Ａ）のＣ−Ｃ線矢視方向断面図、及び（Ｄ）は（Ａ）のＤ−Ｄ線矢視方向断面図である。
【図１７】第一変形例に係る、図２のＡ−Ａ線矢視方向断面図である。
【図１８】第二変形例に係る、図２のＡ−Ａ線矢視方向断面図である。
【図１９】第三変形例に係る、第二ケース６０の斜視図である。
【図２０】第三変形例に係る、図２のＡ−Ａ線矢視方向断面図である。
【発明を実施するための形態】
【００１３】
本発明の一実施形態を、図面を参照して説明する。図１を参照して、プリンタ１の概略構成を説明する。以下では、図１の上方、下方、右下方、左上方、右上方、及び左下方を、各々、プリンタ１の上方、下方、右方、左方、後方、及び前方と定義して説明する。
【００１４】
図１に示すように、プリンタ１は、印刷媒体であるＴシャツ等の布帛（図示外）に対して、液体であるインクを吐出することで印刷を行うインクジェットプリンタである。プリンタ１は、紙等を印刷媒体としてもよい。本実施形態のプリンタ１は、互いに異なる５種のインク（ホワイト（Ｗ）、ブラック（Ｋ）、イエロー（Ｙ）、シアン（Ｃ）、及びマゼンタ（Ｍ））を下方へ向けて吐出することで、印刷媒体にカラー画像を印刷できる。
【００１５】
プリンタ１は、筐体２、プラテン駆動機構６、プラテン５、トレイ４、枠体１０、ガイドシャフト９、レール１１、キャリッジ２０、支持部（図示略）、ヘッドユニット１００，２００、駆動ベルト１０１、及び駆動モータ１９を主に備える。
【００１６】
筐体２は、左右方向を長手方向とする略直方体状である。筐体２の右部の前側には、プリンタ１の操作を行うための操作部（図示略）が設けられている。操作部は、ディスプレイ及び操作ボタンを備える。ディスプレイは、各種情報を表示する。操作ボタンは、作業者がプリンタ１の各種動作に関する指示を入力する際に操作される。
【００１７】
プラテン駆動機構６は、前後方向に延びる一対のガイドレール（図示略）を内部に備える。一対のガイドレールは、プラテン５及びトレイ４を前後方向に搬送可能に支持する。プラテン駆動機構６は、後端部に設けられたモータ（図示外）を駆動源として、プラテン５及びトレイ４を、一対のガイドレールに沿って筐体２の前後方向に移動する。プラテン５は、筐体２の前後方向を長手方向とする平面視略長方形状の板状である。プラテン５は、後述する枠体１０の下方に設けられている。プラテン５の上面には、例えばＴシャツ等の布帛である印刷媒体が載置される。トレイ４は、平面視矩形状であり、プラテン５の下方に設けられている。トレイ４は、作業者がＴシャツ等をプラテン５に載置する際に、Ｔシャツのそで等を受けることで、そで等が筐体２内部に落ちないように保護する。
【００１８】
枠体１０は、平面視略長方形状の枠状である。枠体１０は、筐体２の上部に設置される。枠体１０は、ガイドシャフト９と、レール１１とを内側において夫々支持する。ガイドシャフト９は、左右方向に延びる軸部材である。レール１１は、ガイドシャフト９に対向して配置され、左右方向に延びる棒状部材である。ガイドシャフト９とレール１１とは、互いに前後方向に離間している。
【００１９】
キャリッジ２０は、ガイドシャフト９に沿って左右方向に搬送可能に支持されている。ヘッドユニット１００，２００は、キャリッジ２０に搭載される。ヘッドユニット１００，２００夫々の底面には、ヘッド部（図示略）が設けられている。該ヘッド部は複数個の微細なノズルを備えており、圧電素子の駆動によりノズルから下向きにインクの液滴を吐出する。
【００２０】
駆動ベルト１０１は、枠体１０の内側において、左右方向に沿って架け渡される帯状である。駆動ベルト１０１は、可撓性を有する樹脂製である。駆動モータ１９は、枠体１０の内側の前方右側に設けられる。駆動モータ１９は、前後方向においてガイドシャフト９とレール１１との間に設けられる。駆動モータ１９は、正逆回転可能であり、駆動ベルト１０１を介して、キャリッジ２０と連結されている。駆動モータ１９が駆動ベルト１０１を駆動させると、キャリッジ２０が左右方向（主走査方向）に往復移動し、ヘッドユニット１００，２００夫々のヘッド部が左右方向に往復移動する。プラテン５が印刷媒体を前後方向（搬送方向、副走査方向）に搬送しながら、左右方向に往復移動するヘッド部からインクが吐出されることで、プリンタ１による印刷媒体への印刷が行われる。
【００２１】
プリンタ１の右側には、カートリッジ装着部８が設けられている。カートリッジ装着部８は、図示略の筐体によって支持されている。ヘッドユニット１００，２００の夫々のヘッド部には、カートリッジ装着部８に装着されたカートリッジ３からインクが供給される。カートリッジ装着部８には、複数（本実施形態では、６つ）のカートリッジ３をセット可能である。カートリッジ装着部８の前部に設けられた枠部３８には、カートリッジ３を出し入れ可能な上下方向に３列、左右方向に２列の開口部１２０が設けられている。カートリッジ３がカートリッジ装着部８に装着されると、カートリッジ３に収容された液体収容体３１の口栓７（図２参照）に配置されたゴム栓（図示略）に、液体収容体３１から液体を導出するための中空針（図示略）が刺さる。これによって、カートリッジ３はカートリッジ装着部８にセットされる。
【００２２】
カートリッジ３を説明する。以下では、図２の上方、下方、右下方、左上方、右上方、及び左下方を、各々、カートリッジ３の上方、下方、前方、後方、右方、及び左方と定義して説明する。図９は液体収容袋１３の図示を省略している。図１１は、軸部４３の軸支部４３１及び連結軸４３６を仮想線で示している。図２及び図３に示すように、カートリッジ３は、液体収容体３１と、液体収容体３１を内部に収容するケース３２とを備えている。
【００２３】
図４及び図５に示すように、液体収容体３１は液体収容袋１３及び口栓７を備えている。液体収容袋１３は、可撓性を有する長方形状の樹脂性の二枚のシート１３Ａ，１３Ｂを、夫々の一面同士が対向した状態で重ね合わせ、周縁部分を熱溶着（熱シール）によって接続することで形成された袋状の容器である。液体収容袋１３は前後方向に延びる。以下の説明において、液体収容袋１３の前端部を第一端部１３１という。液体収容袋１３の後端部を第二端部１３２という。
【００２４】
液体収容袋１３は、液体収容部１３３、及び延伸部１３４を備えている。液体収容部１３３の内部には、液体が収容される。液体には、インク、及び、布帛が染められた色を脱色する抜染材等、種々の液体を用いることができる。本実施形態の液体はインクである。延伸部１３４は、液体収容袋１３におけるインクを収容しない部位である。延伸部１３４は、液体収容袋１３の第二端部１３２に設けられ、且つ液体収容部１３３から後方向に延びる。第一端部１３１におけるシート１３Ａ，１３Ｂの間には、口栓７の挿通部７６が挿通されている。第一端部１３１には、挿通部７６に沿って湾曲することでシート１３Ａ，１３Ｂが互いに離れる方向（上下方向）に湾曲して形成された湾曲領域１４６が設けられている。湾曲領域１４６は、挿通部７６よりも後方向に延びる。
【００２５】
口栓７は、液体収容袋１３の第一端部１３１に接続され、前後方向に延びる。口栓７は、先端部７１３、第一口栓突出部８３、第二口栓突出部８５、及び挿通部７６を備えている。先端部７１３は、口栓７の前側に設けられ、且つ前後方向に延びる円筒状である。口栓７において、先端部７１３の正面視中央から後方に向けて、中空部７１２が設けられている。中空部７１２は、液体収容部１３３の内部と口栓７の外部とを連通する。中空部７１２は、その内部に配置されたゴム栓（図示外）によって、液体収容部１３３内のインクが漏れないように封止されている。
【００２６】
第一口栓突出部８３及び第二口栓突出部８５は、先端部７１３の後側に設けられている。第一口栓突出部８３は、口栓７の右部に設けられている。第一口栓突出部８３は、下方に延びた後、右斜め下方に延び、下端が下方に延びる。第一口栓突出部８３の下端部の右部には、右方に突出する第一係合爪８３４が設けられている。第二口栓突出部８５は、口栓７の左部に設けられている。第二口栓突出部８５は、板状部材によって形成されており、口栓７に向かう右方に弾性変形する。第二口栓突出部８５は、下方に延び、下端部で屈曲して上側に延びる。第二口栓突出部８５の左側面には、左方に突起する第二係合爪８５６が設けられている。
【００２７】
ホルダ９０は、口栓７の上部に設けられ、電気基板９８を保持する。ホルダ９０の後側には、載置部７５が設けられている。載置部７５は口栓７の周囲から外側に突出する鍔状である。挿通部７６は、口栓７の後端部に設けられている。挿通部７６は、前後方向に延びる円筒状であり、二枚のシート１３Ａ，１３Ｂの間に配置されて液体収容部１３３の内部に挿通される。シート１３Ａ，１３Ｂは、挿通部７６に熱溶着される。なお、電気基板９８はホルダ９０に装着されていなくてもよい。
【００２８】
ケース３２を説明する。図２及び図３に示すように、ケース３２は、全体として前後方向に長い箱状の外観を有する。ケース３２は、第一ケース３３、第二ケース６０、軸部４３、弾性部材４５、検出部４６（図１２参照）、切替部材２０５（図６参照）等を備えている。第一ケース３３は、液体収容体３１を支持する。第二ケース６０は、第一ケース３３の上側に配置される。第二ケース６０は、第一ケース３３に対して前後方向にスライド移動可能である。
【００２９】
第一ケース３３を説明する。図６に示すように、第一ケース３３は、支持壁部３４、口栓支持部３７、一対の側壁５１，５２、前壁部３３３、及び後壁部３３４等を備えている。支持壁部３４は、前後左右方向に延びる壁部であり、且つ前後方向に長い矩形状である。支持壁部３４の上面及び下面を夫々、第一内面３４４及び第一外面３４５という。一対の側壁５１，５２は夫々、支持壁部３４の左辺部及び右辺部から上方に延びる、第一ケース３３の左右両側の側壁である。後壁部３３４は、支持壁部３４の後辺部に沿って上方に延びる、第一ケース３３の後側の側壁である。後壁部３３４の左右両端部には、後壁部３３４の上端から下方に延びるスリット３５１，３５２が設けられている。
【００３０】
図６及び図９に示すように、左側の側壁５１は、第一部位５１１、第二部位５１２、第三部位５１３、及び下支持部５１４を備えている。第一部位５１１は、第一内面３４４の左辺部から上方に延びる、側壁５１の下側部分を構成する壁部である。第二部位５１２は、第一部位５１１の上端から左方に突出する部位である。第三部位５１３は、第二部位５１２の左端部から上方に延びる、側壁５１の上側部分を構成する壁部である。第二部位５１２の後端部には、第二部位５１２から上方に突出する壁部である規制壁５１２Ａ（図１３（Ｂ）参照）が設けられている。
【００３１】
右側の側壁５２は、第一部位５２１、第二部位５２２、第三部位５２３、及び下支持部５２４を備えている。第一部位５２１は第一内面３４４の右辺部から上方に延びる、側壁５２の下側部分を構成する壁部である。第二部位５２２は、第一部位５２１の上端から右方に突出する部位である。第三部位５２３は、第二部位５２２の右端部から上方に延びる、側壁５２の上側部分を構成する壁部である。第二部位５２２の後端部には、第二部位５２２から上方に突出する壁部である規制壁５２２Ａが設けられている。
【００３２】
下支持部５１４，５２４は、互いに左右対称に設けられた、上向きに配置された複数の歯が前後方向に連続して並ぶラックギアである。下支持部５１４は、第二部位５１２の右縁部に設けられている。下支持部５２４は、第二部位５２２の左縁部に設けられている（図７参照）。下支持部５１４，５２４は夫々、後壁部３３４の若干前側から口栓支持部３７の若干後側まで延びている。
【００３３】
図７及び図８に示すように、支持壁部３４の前端部には、正面視矩形状の前壁部３３３が設けられている。前壁部３３３は、第一内面３４４の前端部における左右方向中央から、第一部位５１１，５２１の上端部と略同じ高さ位置まで上方に延びている。前壁部３３３の左右方向中央には、前壁部３３３の上辺部から円弧状に下方に凹む部位である逃がし部３３３Ａが形成されている。
【００３４】
第一外面３４５には、上方に凹む二つの溝部３６１，３６２が設けられている。溝部３６１は、前壁部３３３の左側に設けられ、支持壁部３４の前端部から後端部のやや前側まで延びる。溝部３６２は、前壁部３３３の右側に設けられ、支持壁部３４の前端部から後端部のやや前側まで延びる。第一内面３４４における溝部３６１，３６２の上側の部位は、上方に突出して前後方向に延びる突出部３６３，３６４である（図９参照）。突出部３６３，３６４の上面には板状ゴムである滑止部材３６０が夫々貼り付けられているが、詳細は後述する。
【００３５】
図７に示すように、口栓支持部３７は、支持壁部３４の前縁部に設けられた、口栓７を支持する部位である。口栓支持部３７は、第一開口部３７１，３７２、第二開口部３９１，３９２、開口壁部３８１，３８２、第一支持部３４６、及び第二支持部３４７を備えている。第一支持部３４６は、前壁部３３３の後方に設けられている。第一支持部３４６は、第一内面３４４から上方に突出した、平面視でＴ字状の板状部材である。第一支持部３４６は、正面視で逃がし部３３３Ａよりも若干下側にある。第二支持部３４７は、第一支持部３４６の後側、且つ二つの溝部３６１，３６２の間に設けられている。第二支持部３４７は、支持壁部３４から上方に延びる左右方向に長い壁部である。第二支持部３４７には、正面視でその上辺部から略半円状に下方に凹んだ凹部３４８が設けられている。凹部３４８は、正面視で逃がし部３３３Ａよりも若干上側にある。
【００３６】
第一開口部３７１，３７２は夫々、第一支持部３４６の左右両側に設けられた、平面視矩形状の開口部である。第一開口部３７１は、溝部３６１及び突出部３６３に設けられ、支持壁部３４を上下方向に貫通する。第一開口部３７２は、溝部３６２及び突出部３６４に設けられ、支持壁部３４を上下方向に貫通する。開口壁部３８１は、第一開口部３７１の輪郭に沿って突出部３６３から上方に延び、且つ第一開口部３７１を上方から覆う板状部材である。開口壁部３８１は、右方に開口する側面視矩形状の第二開口部３９１を有する。第一開口部３７１及び第二開口部３９１は、開口壁部３８１内で連通している。開口壁部３８２は、第一開口部３７２の輪郭に沿って突出部３６４から上方に延び、且つ第一開口部３７２を上方から覆う板状部材である。開口壁部３８２は、左方に開口する側面視矩形状の第二開口部３９２を有する。第一開口部３７２及び第二開口部３９２は、開口壁部３８２内で連通している。
【００３７】
ケース凹部３３５は、突出部３６３，３６４の間の下方に凹む凹部である。ケース凹部３３５は、口栓支持部３７の後側から支持壁部３４の後端部の前側まで延びる。図８に示すように、ケース凹部３３５（図７参照）における口栓支持部３７の後側には、支持壁部３４を上下方向に貫通する開口部である装着開口部３３９が設けられている。装着開口部３３９の若干上側に、二つの凸部３３７を備えた装着板（図示外）が設けられている。二つの凸部３３７は、底面視で装着開口部３３９から露出し、且つ装着板（図示外）から左右に並んで下方に突出する。
【００３８】
図８に示すように、第一外面３４５の後端部には、外面凹部３４９が設けられている。外面凹部３４９は、底面視で左右方向に長い凹部である。作業者はカートリッジ３を開口部１２０（図１参照）から取り外す場合、例えば外面凹部３４９に指を掛けることで、カートリッジ３を開口部１２０から容易に引き出すことができる。
【００３９】
図６及び図８に示すように、第一部位５１１の右面の下端部に沿って、二つのスリット３５３が設けられている。二つのスリット３５３は、夫々、支持壁部３４の前後方向略中央を挟んだ前後両側に設けられている。同様に、第一部位５２１の左面の下端部に沿って、二つのスリット３５４が設けられている。二つのスリット３５４は、二つのスリット３５３と左右対称に設けられている。各スリット３５３，３５４は、前後方向に延び、且つ支持壁部３４を上下方向に貫通している。各スリット３５３，３５４は夫々、後述の押え板２１０，２２０を上下移動可能に支持する。なお、各スリット３５３，３５４は、後述の押え板２１０，２２０のバネ位置に応じて設けられればよい。
【００４０】
図６及び図７に示すように、第二支持部３４７の左右両側には、係止壁３８８，３８９が設けられている。係止壁３８８は、第一内面３４４から上方に延び、且つ第二支持部３４７と第一部位５１１との間を左右方向に延びる。係止壁３８９は、第一内面３４４から上方に延び、且つ第二支持部３４７と第一部位５２１との間を左右方向に延びる。係止壁３８８，３８９には、保持部３９８が設けられる。保持部３９８は、係止壁３８８の右端部及び係止壁３８９の左端部から夫々後方に延びる一対の板状体であり、後述の付勢部材２３０が固定される。後壁部３３４には、保持部３９９が設けられている。保持部３９９は、後壁部３３４の左右方向中央部から前方に突出する一対の板状体であり、後述の付勢部材２４０が固定される。
【００４１】
係止壁３８９の右端部上側には、スリット３５５が設けられている。第一部位５２１の後端部左側にも、スリット３５５が設けられている。これらのスリット３５５は、押え板３１０の前後両端部を上下移動可能に支持する。図示しないが、係止壁３８８の左端部上側には、スリットが設けられている。第一部位５１１の後端部右側にも、スリットが設けられている。これらのスリットは、押え板２１０の前後両端部を上下移動可能に支持する。
【００４２】
切替部材２０５を説明する。図６に示すように、切替部材２０５は押え板２１０，２２０及び付勢部材２３０，２４０を有する。押え板２１０は、上下前後方向に延びる枠状板である。押え板２１０の上下方向長さは、側壁５１の上下方向長さよりも若干短い。押え板２１０の前後方向長さは、後壁部３３４から係止壁３８８（図７参照）までの前後方向距離と略等しい。押え板２１０には、スライド開口２１２、上支持部２１３、退避部２１４，２１５、二つの脚部２１６、及び係止孔２１７，２１８が設けられている。
【００４３】
スライド開口２１２は、側面視で押え板２１０の内側に設けられた、前後方向に延びる略矩形状の開口部である。スライド開口２１２は、押え板２１０を左右方向に貫通し、且つ押え板２１０の後端縁から前端縁まで延びている。スライド開口２１２の上辺部及び下辺部は、上下方向に対向して略平行に延びている。スライド開口２１２の上辺部のうちで、スライド開口２１２の前後方向両端部を除いた部位に、上支持部２１３が設けられている。
【００４４】
上支持部２１３は、下向きに配置された複数の歯が前後方向に連続して並ぶラックギアである。スライド開口２１２の下辺部から上支持部２１３までの上下方向距離は、後述の回転ギア４３１Ａ（図９参照）の直径よりも若干大きい。スライド開口２１２の前後方向両端部には、退避部２１４，２１５が夫々設けられている。退避部２１４，２１５におけるスライド開口２１２の上辺部は、上支持部２１３よりも上方にある。退避部２１４，２１５の上下方向長さ及び左右方向長さは、何れも回転ギア４３１Ａの直径よりも若干大きい。回転ギア４３１Ａはスライド開口２１２内を前後方向に移動可能である。
【００４５】
二つの脚部２１６は、押え板２１０の前後方向略中央を挟んだ位置から下方に夫々突出する板状突起である。先述の二つのスリット３５３（図８参照）は、二つの脚部２１６に対応する位置に設けられる。二つの脚部２１６は二つのスリット３５３に挿脱可能である。係止孔２１７，２１８は夫々、押え板２１０の前後両側の下縁端に設けられた、前後方向に延びるスリットである。
【００４６】
押え板２２０は、押え板２１０と同一部材であり、スライド開口２２２、上支持部２２３、退避部２２４，２２５、二つの脚部２２６、及び係止孔２２７，２２８が設けられている。従って、回転ギア４３２Ａはスライド開口２２２を前後方向に移動可能である。二つの脚部２２６は、二つのスリット３５４（図８参照）に対応する位置に設けられ、且つ二つのスリット３５４に挿脱可能である。
【００４７】
付勢部材２３０，２４０は、押え板２１０，２２０を第一ケース３３に取り付けるための部材である。付勢部材２３０，２４０は、略左右方向に延びる同一の板バネであり、夫々保持部３９８，３９９に対して取り付けられる。付勢部材２３０の中央部には、前方に突出する固定用突起２３１が設けられている。付勢部材２４０の中央部には、後方に突出する固定用突起２４１が設けられている。
【００４８】
図６及び図９に示すように、押え板２１０は、第一部位５１１の右面に沿って、後壁部３３４と係止壁３８８（図７参照）との間に配置される。二つの脚部２１６は、夫々対応する二つのスリット３５３に挿入される。押え板２２０は、第一部位５２１の左面に沿って、後壁部３３４と係止壁３８９（図７参照）との間に配置される。二つの脚部２２６は、夫々対応する二つのスリット３５４に挿入される。これにより押え板２１０，２２０は夫々、第一部位５１１，５２１と左右方向に並んで配置される。
【００４９】
固定用突起２３１が保持部３９８に係止されることで、付勢部材２３０は左右方向にずれないように位置決めされる。保持部３９８は、固定用突起２３１とは反対側から付勢部材２３０を固定する爪部（図示外）を備える。保持部３９８の爪部によって、付勢部材２３０は前後方向にずれないように位置決めされる。付勢部材２３０の両端部は夫々、係止孔２１７，２２７に挿入される。保持部３９８は、係止孔２１７，２２７よりも下方で固定用突起２３１を保持する。従って付勢部材２３０は、正面視で中央部から両端部に向けて上方に湾曲する姿勢で保持される。係止孔２１７，２２７に挿入された付勢部材２３０の両端部は、湾曲した付勢部材２３０の弾性力によって、押え板２１０，２２０を下方に付勢する。
【００５０】
同様に、固定用突起２４１が保持部３９９に係止されることで、付勢部材２４０は左右方向にずれないように位置決めされる。保持部３９９は、固定用突起２４１とは反対側から付勢部材２４０を固定する爪部（図示外）を備える。保持部３９９の爪部によって、付勢部材２４０は前後方向にずれないように位置決めされる。付勢部材２４０の両端部は夫々、係止孔２１８，２２８に挿入される。保持部３９９は、係止孔２１８，２２８よりも下方で固定用突起２４１を保持する。従って付勢部材２４０は、正面視で中央部から両端部に向けて上方に湾曲する姿勢で保持される。係止孔２１８，２２８に挿入された付勢部材２４０の両端部は、湾曲した付勢部材２４０の弾性力によって、押え板２１０，２２０を下方に付勢する。
【００５１】
これにより押え板２１０，２２０は、第一内面３４４に接触した状態に保持される。二つの脚部２１６は二つのスリット３５３を介して、第一ケース３３の下方に突出する。二つの脚部２２６は二つのスリット３５４を介して、第一ケース３３の下方に突出する。押え板２１０，２２０は、各脚部２１６，２２６が下方から押圧されると、付勢部材２３０，２４０の弾性力に抗って上方に移動可能である。
【００５２】
軸部４３を説明する。図６及び図９に示すように、軸部４３は、軸本体４３０、軸支部４３１，４３２、及び連結軸４３６を備える。軸本体４３０は、左右方向に延びる円筒状である。軸本体４３０は、外周面４３３、軸凹部４３４、及び軸孔４３５を備える。本実施形態では、外周面４３３に滑り止め加工が施されている。滑り止め加工は、外周面４３３を滑り止め用の樹脂シートで覆ったり、外周面４３３に滑り止め用の表面加工を施こしたり、軸本体４３０自体が弾性部材（例えば、ゴム）であることが例示される。なお、外周面４３３に滑り止め加工が施されていなくてもよい。
【００５３】
軸凹部４３４は、外周面４３３の左右方向中央部に設けられ、外周面４３３よりも軸本体４３０の内側に若干凹む溝状である。軸孔４３５は、軸本体４３０の断面中心（回転中心）を左右方向に貫通する孔である。連結軸４３６は、軸孔４３５に挿通されている。軸孔４３５に挿通された連結軸４３６の両端部は、軸孔４３５から左右両側に突出する。軸本体４３０は、軸孔４３５に挿通された連結軸４３６の周りで回転可能である。
【００５４】
軸支部４３１，４３２は夫々、軸本体４３０の左右両端に設けられ、且つ軸本体４３０の回転中心と略同軸の部材である。軸支部４３１は、回転ギア４３１Ａ及び突出部４３１Ｂを備える。回転ギア４３１Ａは、下支持部５１４及び後述の上支持部２１３に噛み合うことが可能な複数の歯が周方向に形成された円盤状のギアである。回転ギア４３１Ａの回転中心に、連結軸４３６の左端部が連結固定されている。突出部４３１Ｂは、回転ギア４３１Ａの回転中心から左方に突出する、回転ギア４３１Ａよりも小径の円柱体である。
【００５５】
同様に軸支部４３２は、回転ギア４３２Ａ及び突出部４３２Ｂを備える。回転ギア４３２Ａは、下支持部５２４及び後述の上支持部２２３に噛み合うことが可能な複数の歯が周方向に形成された円盤状のギアである。回転ギア４３２Ａの回転中心に、連結軸４３６の右端部が連結固定されている。突出部４３２Ｂは、回転ギア４３２Ａの回転中心と同軸で回転ギア４３２Ａから右方に突出する、回転ギア４３２Ａよりも小径の円柱体である。
【００５６】
なお、軸支部４３１は、連結軸４３６の左端部が挿入される連結孔を有する。軸支部４３２は、連結軸４３６の右端部が挿入される連結孔を有する。連結軸４３６の両端部には、平面部が夫々形成されている。軸支部４３１，４３２の各連結孔は、連結軸４３６の平面部に対応する断面形状を有する。軸支部４３１，４３２の各連結穴は、回転ギア４３１Ａ，４３２Ａが同位相となる状態でのみ、連結軸４３６の両端部を挿入可能である。
【００５７】
図９に示すように、第一ケース３３内では、軸本体４３０が押え板２１０，２２０の間に配置される。下支持部５１４は、スライド開口２１２を介して右側に露出している。軸支部４３１は、軸本体４３０の左端から側壁５１に向けて左方に突出して、スライド開口２１２に右側から挿入されている。回転ギア４３１Ａは、スライド開口２１２内に配置され、かつ下支持部５１４に対して噛み合っている。第二部位５１２の上面には、前後方向に延びるリブ５１５が設けられている。突出部４３１Ｂは、リブ５１５の上側に配置されている。
【００５８】
同様に、下支持部５２４は、スライド開口２２２を介して左側に露出している。軸支部４３２は、軸本体４３０の右端から側壁５２に向けて右方に突出して、スライド開口２２２に左側から挿入されている。回転ギア４３２Ａは、スライド開口２２２内に配置された状態で、下支持部５２４に対して噛み合っている。第二部位５２２の上面には、前後方向に延びるリブ５２５が設けられている。突出部４３２Ｂは、リブ５２５の上側に配置されている。これにより軸部４３は、外周面４３３が第一内面３４４よりも若干上側にある状態で、リブ５１５，５２５によって下方から支持される。回転ギア４３１Ａ，４３２Ａは、僅かにバックラッシがある状態で下支持部５１４，５２４に夫々噛み合っているため、軸部４３の移動に伴って滑らかに回転可能である。なお、バックラッシがある状態とは回転ギア４３１Ａ，４３２Ａと下支持部５１４，５２４がはまりあって回転ギア４３１Ａ，４３２Ａが移動する際に、その移動を妨げないように、回転ギア４３１Ａ，４３２Ａと下支持部５１４，５２４の間に隙間を設けている状態のことである。
【００５９】
弾性部材４５を説明する。図３及び図６に示すように、弾性部材４５は、ケース凹部３３５の内側に配置された、定荷重又は変動荷重の板バネである。弾性部材４５の前端部には、左右方向に並ぶ二つの丸孔部４５１が設けられている。ケース凹部３３５に配置された弾性部材４５の前端部は、装着板（図示外）と装着開口部３３９との隙間に後方から挿入される。二つの凸部３３７が二つの丸孔部４５１内に嵌め込まれることで、弾性部材４５の前端部は装着板（図示外）に固定される（図８参照）。装着板（図示外）から後方に延びる弾性部材４５の後端部は、軸部４３の軸凹部４３４に巻回される。弾性部材４５は、前方に復元力を生じるように付勢されるため、軸本体４３０を介して軸部４３全体を前方に付勢する。
【００６０】
第二ケース６０を説明する。図６、図９及び図１０に示すように、第二ケース６０は、上壁部６４、一対の側壁６１，６２、第一壁部６５，６６、溝部６１１，６１２、及び第二壁部６７，６８を備えている。上壁部６４は前後左右方向に延びる壁部であり、且つ前後方向に長い矩形状である。上壁部６４の上面及び下面を夫々、第二外面６４５及び第二内面６４４という。第二外面６４５の後端部には、下方に凹む部位である外面凹部６４１が設けられている。外面凹部６４１は、平面視で左右方向に長い矩形状である。作業者は、第二ケース６０を第一ケース３３に対してスライド移動させる場合、例えば外面凹部６４１に指を入れて第二ケース６０を移動させる。
【００６１】
図１０に示すように、第二ケース６０の前端部には、前方に開口する開口部６４２が設けられている。第二ケース６０の後端部には、後方に開口する開口部６４３が設けられている。一対の側壁６１，６２は夫々、上壁部６４の左辺部及び右辺部に沿って下方に延びる、第二ケース６０の左右両側の側壁である。一対の側壁６１，６２の下端部には、夫々、先端壁部６１３，６２３が複数設けられている。複数の先端壁部６１３，６２３は夫々、側壁６１，６２の各下端部から、第二ケース６０の内側に向けて突出する。
【００６２】
第一壁部６５は、側壁６１の右側に側壁６１に対向して設けられた壁部である。第一壁部６６は、側壁６２の左側に側壁６２に対向して設けられた壁部である。第一壁部６５，６６は、液体収容袋１３（図１２参照）を中心に左右対称に設けられ、第二内面６４４から下方に延びる。第一壁部６５，６６は、上壁部６４の後端部から前端部のやや後側まで延びる。第一壁部６５，６６の各下端部は、複数の先端壁部６１３，６２３よりも上方にある。
【００６３】
溝部６１１は、第一壁部６５と側壁６１との間に形成された、上方に凹む溝である。溝部６１２は、第一壁部６６と側壁６２との間に形成された、上方に凹む溝である。第一壁部６５，６６は夫々、液体収容袋１３を中心として左右対称に設けられた第二壁部６７，６８に接続している。第二壁部６７は、第一壁部６５の前端部右側から前方に延びる壁部である。第二壁部６８は、第一壁部６６の前端部左側から前方に延びる壁部である。
【００６４】
図１０及び図１１に示すように、第一壁部６５の前側下端部には、作用部１７１が設けられている。第一壁部６５の下辺部６５１は、第一壁部６５の後端部から作用部１７１まで直線状に延びる。作用部１７１は、下辺部６５１よりも下方に突出している。作用部１７１の後辺部は、下辺部６５１の前端部から前側下方に向けて、側面視で略円弧状に延びる。作用部１７１の上下方向長さは、少なくとも突出部４３１Ｂの半径よりも大きい。第二壁部６７には、係止部１７３が設けられている。係止部１７３は、第二壁部６７の右面から右方に突出し、且つ前後方向に延びる突起である。係止部１７３は、下辺部６５１よりも上方に設けられている。
【００６５】
なお、第一壁部６６には、液体収容袋１３を中心として第一壁部６５の作用部１７１と左右対称に、作用部１７２が夫々設けられている。第二壁部６８には、液体収容袋１３を中心として第二壁部６７の係止部１７３と左右対称に、係止部１７４が設けられている。
【００６６】
図９及び図１０に示すように、例えば作業者が第二ケース６０を第一ケース３３に装着する場合、第二ケース６０を第一ケース３３に対して前側からスライド移動させる。これにより、第二ケース６０が第一ケース３３を上方から覆う。詳細には、一対の側壁６１，６２は夫々、一対の側壁５１，５２の外側に配置される。先端壁部６１３，６２３は夫々、第二部位５１２，５２２に係合する。第三部位５１３，５２３は夫々、溝部６１１，６１２の内側に配置される。第一ケース３３の第一内面３４４と第二ケース６０の第二内面６４４とは、上下方向に対向する。
【００６７】
図１１に示すように、押え板２１０，２２０は、第二ケース６０が第一ケース３３に対して前側からスライド移動されると、係止部１７３は退避部２１４（図６参照）に進入し、且つ係止部１７４は退避部２２４に進入する。これにより、係止部１７３，１７４はスライド開口２１２，２２２内に夫々配置される。押え板２１０の左面は、係止部１７３よりも上側で、第二壁部６７に面接触する。押え板２２０の右面は、係止部１７４よりも上側で、第二壁部６８に面接触する。突出部４３１Ｂは、下辺部６５１の下側、且つ作用部１７１の後方に配置される。回転ギア４３１Ａは、第二壁部６７の後方、且つ第一壁部６５よりも右側に配置される。回転ギア４３２Ａは、作用部１７２の後方に配置される。
【００６８】
検出部４６を概略的に説明する。図６及び図１２に示すように、検出部４６は、第一側板部４７、第二側板部４８、及び巻バネ４６１を備えている。第一側板部４７は、その前端部に第一表示部４７３を備えている。第二側板部４８は、その前端部に第二表示部４８３を備えている。巻バネ４６１は、第一側板部４７と第二側板部４８とに係合して、第一側板部４７と第二側板部４８を付勢する。
【００６９】
後述するように軸部４３は、液体収容袋１３を巻き取ってインクを口栓７へ向けて集めながら前方に進む。液体収容部１３３内のインクの残量が少ないほど、軸部４３はより前側に移動する。軸部４３の前方移動に伴って、突出部４３２Ｂ（図９参照）が第一側板部４７と第二側板部４８とに当接する。これにより、第一表示部４７３と第二表示部４８３との上下方向位置が移動する。検出部４６は、第一表示部４７３と第二表示部４８３との上下方向位置によって、インクの残量を表示できる。
【００７０】
作業者がケース３２に液体収容体３１を装着する作業を説明する。図１３は、ケース３２に液体収容体３１が装着されていない状態を示す。図１４〜図１６は、ケース３２に液体収容体３１が装着された状態を示す。図１３〜図１６において、図示外の回転ギア４３１Ａ、突出部４３２Ｂ、作用部１７２、係止部１７３、上支持部２１３、退避部２１４，２１５、スリット３５３、第二部位５２２、及び規制壁５２２Ａは、夫々、図中の回転ギア４３２Ａ、突出部４３１Ｂ、作用部１７１、係止部１７４、上支持部２２３、退避部２２４，２２５、スリット３５４、第二部位５１２、及び規制壁５１２Ａと、液体収容袋１３を中心として左右対称に設けられている。図１３（Ｃ）では、側面視で軸本体４３０を仮想線で示している。
【００７１】
図１３に示す例では、ケース３２に液体収容体３１が装着されておらず、且つ、第二ケース６０が閉鎖位置にある。図１３（Ａ）に示すように、閉鎖位置は、第二ケース６０が第一ケース３３の略全体を上方から覆う位置である。図１３（Ｂ），（Ｃ）に示すように、第二壁部６７，６８は側面視で保持部３９８（図６参照）の若干後方に配置される。係止部１７３，１７４は、退避部２１４，２２４内に夫々配置される。作用部１７１，１７２は、側面視で退避部２１４，２２４の若干後側に夫々配置される。
【００７２】
図１３（Ｂ）に示すように、軸部４３は弾性部材４５（図６参照）の付勢力によって、軸部４３の可動範囲の前端部である第一位置まで移動している。第一位置は、軸部４３の突出部４３１Ｂ，４３２Ｂが、閉鎖位置にある第二ケース６０の作用部１７１，１７２に後方から夫々接触する位置である。第一位置にある軸部４３は、突出部４３１Ｂ，４３２Ｂと接触する作用部１７１，１７２によって、前方への移動が規制される。回転ギア４３１Ａ，４３２Ａは夫々、退避部２１４，２２４の後側に配置され、下支持部５１４，５２４に噛み合う。
【００７３】
図１３（Ｃ）に示すように、ケース３２が平面上（例えば、テーブル上）に置かれていないため、脚部２１６，２２６が第一ケース３３の下方に突出している。押え板２１０，２２０は、付勢部材２３０，２４０（図６参照）の付勢力によって下降位置に保持される。下降位置は、押え板２１０，２２０が第一内面３４４（図６参照）に上方から接触する位置である。本実施形態では、係止部１７３，１７４が夫々、退避部２１４，２２４にある場合、又は退避部２１５，２２５にある場合に、押え板２１０，２２０は下降位置に移動可能である。
【００７４】
押え板２１０が下降位置にある場合、係止部１７３はスライド開口２１２内で上支持部２１３よりも上方に配置され、且つ、上支持部２１３は回転ギア４３１Ａの上端部よりも下方に配置される。同様に、係止部１７４はスライド開口２２２内で上支持部２２３よりも上方に配置され、且つ、上支持部２２３は回転ギア４３２Ａの上端部よりも下方に配置される。図１３（Ｃ）に示す例では、上支持部２１３，２２３の各前端部は、退避部２１４，２２４の後側において、回転ギア４３１Ａ，４３２Ａに上側から夫々噛み合うが、その作用は後述する。
【００７５】
図１３（Ｃ）に示す例では、係止部１７３は退避部２１４内に配置され、且つ係止部１７３の前後は退避部２１４によって囲まれる。係止部１７４は退避部２２４内に配置され、且つ係止部１７４の前後は退避部２２４によって囲まれる。この状態で、第二ケース６０を後方に付勢する外力が加えられた場合、係止部１７３，１７４が退避部２１４，２２４の周縁部に前方から夫々接触する（図１１参照）。係止部１７３，１７４の後方移動が規制されるため、第一ケース３３に対する第二ケース６０の後方移動が規制される。
【００７６】
まず作業者は、図１３に示すケース３２を平面上に置く。本実施形態では、付勢部材２３０，２４０が押え板２１０，２２０を下方に付勢する付勢力は、少なくともケース３２の自重よりも小さい。従って脚部２１６，２２６は、ケース３２が置かれた平面に接触して、付勢部材２３０，２４０の弾性力に抗って上方に移動して、第一ケース３３の内部に進入する。
【００７７】
これにより、押え板２１０，２２０は下降位置から上昇位置に移動する。上昇位置は、押え板２１０，２２０が第一内面３４４から上方に離れる位置である（図１５（Ｂ），（Ｃ）参照）。押え板２１０が上昇位置にある場合、係止部１７３はスライド開口２１２内で上支持部２１３よりも下方に配置され、且つ、上支持部２１３は回転ギア４３１Ａの上端部よりも上方に配置される。押え板２２０が上昇位置にある場合、係止部１７４はスライド開口２２２内で上支持部２２３よりも下方に配置され、且つ、上支持部２２３は回転ギア４３２Ａの上端部よりも上方に配置される。
【００７８】
作業者は、押え板２１０，２２０が上昇位置にある状態で、第二ケース６０を第一ケース３３に対して後方にスライド移動させる。このとき、スライド開口２１２内では、係止部１７３が上支持部２１３の若干下側を通って、退避部２１４から後方に移動する。同様にスライド開口２２２内では、係止部１７４が上支持部２２３の若干下側を通って、退避部２２４から後方に移動する（図１６（Ｃ）参照）。つまり、押え板２１０，２２０が上昇位置にある場合、第二ケース６０の後方移動に対する規制が解除される。
【００７９】
作用部１７１，１７２は夫々、第二ケース６０と連動して後方に移動し、突出部４３１Ｂ，４３２Ｂを後方に押圧する。これにより、突出部４３１Ｂは下辺部６５１と第二部位５１２の間を通って後方に移動する。同様に突出部４３２Ｂは、第二部位５２２の上側を通って後方に移動する。これにより、回転ギア４３１Ａ，４３２Ａは夫々、下支持部５１４，５２４と噛み合った状態で、回転しながら後方に移動する。回転ギア４３１Ａ，４３２Ａは、上支持部２１３，２２３の下側を通って移動するため、上支持部２１３，２２３と干渉しない。回転ギア４３１Ａ，４３２Ａの後方移動に伴って、軸本体４３０も後方に移動する。このとき軸本体４３０は、弾性部材４５の付勢力によって回転しながら、後方に移動する。
【００８０】
なお、第二ケース６０が閉鎖位置と後述の開放位置との間で前後方向にスライド移動する場合、第二ケース６０の第一壁部６５、６６（図１０参照）が、第一ケース３３のスリット３５１，３５２（図６参照）の内側を夫々通過する。
【００８１】
図１４（Ａ）に示すように、作業者は第二ケース６０を開放位置まで後方に移動させる。図１４（Ｂ），（Ｃ）に示すように、第二ケース６０が開放位置にある場合、第二壁部６７，６８は側面視で保持部３９９（図６参照）の若干前側に配置される。係止部１７３，１７４は、退避部２１５，２２５内に夫々配置される。作用部１７１，１７２は、側面視で規制壁５１２Ａ，５２２Ａの若干前側に夫々配置される。
【００８２】
図１４（Ｂ），（Ｄ）に示すように、軸部４３（図７参照）は弾性部材４５の付勢力に抗って、軸部４３の可動範囲の後端部である第二位置まで移動している。第二位置は、作用部１７１，１７２によって前側から押圧されている突出部４３１Ｂ，４３２Ｂが、第一ケース３３の規制壁５１２Ａ，５２２Ａの前端部に夫々接触する位置である。第二位置にある軸部４３は、突出部４３１Ｂ，４３２Ｂと接触する規制壁５１２Ａ，５２２Ａによって、後方への移動が規制される。回転ギア４３１Ａ，４３２Ａは夫々、退避部２１５，２２５内に配置され、下支持部５１４，５２４に噛み合う。
【００８３】
図１４に示すように、作業者は第二ケース６０を開放位置まで移動させたのち、ケース３２を平面上（例えば、テーブル上）から持ち上げる。脚部２１６，２２６が第一ケース３３の下方に突出することで、押え板２１０，２２０は下降位置に移動する。図１４（Ｃ）に示す例では、係止部１７３は退避部２１５内に配置され、且つ係止部１７３の前後は退避部２１５によって囲まれる。係止部１７４は、退避部２２５内に配置され、且つ係止部１７４の前後は退避部２２５によって囲まれる。この状態で、第二ケース６０を前方に付勢する外力が加えられた場合、係止部１７３，１７４が退避部２１５，２２５の周縁部に後方から夫々接触する。係止部１７３，１７４の前方移動が規制されるため、第一ケース３３に対する第二ケース６０の前方移動が規制される。
【００８４】
次に作業者は、図１４に示すように、第一ケース３３内に液体収容体３１を収容する。具体的には、図７及び図１２に示すように、作業者は液体収容袋１３を、第一ケース３３における口栓支持部３７の後方に配置する。作業者は、第二口栓突出部８５を口栓７側に弾性変形させながら、口栓７を第一支持部３４６及び第二支持部３４７に上方から配置する。このとき作業者は、第一口栓突出部８３を第一開口部３７２に挿入して、第一係合爪８３４を溝部３６２に係合する。作業者は、弾性変形した第二口栓突出部８５の第二係合爪８５６（図５参照）を、第二開口部３９１に係合する。これにより、口栓７が口栓支持部３７に支持される。液体収容袋１３のシート１３Ｂ（図５参照）は、第一内面３４４上に載置され、且つ、左右に並ぶ二つの滑止部材３６０と面接触する。
【００８５】
なお、第一開口部３７１，３７２は、第一支持部３４６を中心として左右対称に設けられている。第二開口部３９１，３９２は、第一支持部３４６を中心として左右対称に設けられている。例えば第一支持部３４６に対して、第一口栓突出部８３を左側に配置し、且つ第二口栓突出部８５を右側に配置した場合、第一口栓突出部８３の第一係合爪８３４は第一開口部３７１に係合し、且つ第二口栓突出部８５の第二係合爪８５６は第二開口部３９２に係合する。
【００８６】
次に作業者は、図１４に示すケース３２を平面上に置く。先述と同様に、押え板２１０，２２０は下降位置から上昇位置に移動する。図１５（Ａ）に示すように、作業者は、押え板２１０，２２０が上昇位置にある状態で、第二ケース６０を第一ケース３３に対して前方にスライド移動させる。図１５（Ｃ）に示すように、スライド開口２１２内では、係止部１７３が上支持部２１３の若干下側を通って、退避部２１５から前方に移動する。同様にスライド開口２２２内では、係止部１７４が上支持部２２３の若干下側を通って、退避部２２５から前方に移動する。つまり、押え板２１０，２２０が上昇位置にある場合、第二ケース６０の前方移動に対する規制が解除される。
【００８７】
図１５（Ｂ），（Ｄ）に示すように、作用部１７１，１７２は夫々、第二ケース６０と連動して前方に移動する。これに伴って、軸本体４３０は弾性部材４５の付勢力によって、第二位置から前方に回転しながら移動する。これにより、突出部４３１Ｂは下辺部６５１と第二部位５１２の間を通って前方に移動する。同様に、突出部４３２Ｂは第二部位５２２の上側を通って前方に移動する。図１５（Ｃ）に示すように、回転ギア４３１Ａ，４３２Ａは夫々、下支持部５１４，５２４と噛み合った状態で、回転しながら前方に移動する。このとき、回転ギア４３１Ａ，４３２Ａは、上支持部２１３，２２３の下側を通って移動するため、上支持部２１３，２２３と干渉しない。
【００８８】
図１５（Ｄ）に示すように、第二位置から前方に回転しながら移動する軸本体４３０は、液体収容袋１３を第二端部１３２から前側に向けて巻き取る。軸本体４３０は、インクが配置されていない延伸部１３４を巻き取った後、液体収容部１３３を後方から巻取る。液体収容部１３３内のインクは、液体収容部１３３の巻取りに伴って、口栓７に向かって前方に押される。軸部４３は、弾性部材４５の付勢力と、液体収容部１３３の反発力とが等しくなる位置で停止する。
【００８９】
図１５（Ｃ）に示すように、第二ケース６０が閉鎖位置と開放位置との間にある場合、係止部１７３，１７４は上支持部２１３，２２３の直下に夫々配置される。この状態でケース３２が平面から離れた場合、上昇位置から下方に移動する押え板２１０，２２０は、係止部１７３，１７４によって下方から支持される。係止部１７３，１７４は、回転ギア４３１Ａ，４３２Ａよりも上側で、上支持部２１３，２２３を夫々支持する。つまり第二ケース６０が閉鎖位置と開放位置との間にある状態では、上支持部２１３，２２３が回転ギア４３１Ａ，４３２Ａに干渉しないため、軸部４３は前後方向に移動可能である。
【００９０】
仮に第二ケース６０のスライド移動中に軸部４３の移動が規制された場合、軸部４３の突出部４３１Ｂ，４３２Ｂが第二ケース６０の作用部１７１，１７２を係止して、第二ケース６０のスライド移動を妨げる虞がある。上記のように本実施形態では、第二ケース６０のスライド移動中は軸部４３の移動は規制されないため、第二ケース６０のスライド移動が妨げられる虞がない。
【００９１】
図１６（Ａ）に示すように、作業者は第二ケース６０を閉鎖位置まで前方に移動させる。図１６（Ｂ），（Ｃ）に示すように、第二壁部６７，６８は保持部３９８（図６参照）よりも若干後方に配置される。係止部１７３，１７４は、退避部２１４，２２４内に夫々配置される。作用部１７１，１７２は、側面視で退避部２１４，２２４の若干後側に夫々配置される。以上により、液体収容体３１がケース３２に装着されたカートリッジ３が完成する。
【００９２】
その後、作業者は、カートリッジ３を平面から持ち上げる。押え板２１０，２２０は上昇位置から下降位置に移動する。図１６（Ｃ）に示すように、係止部１７３は退避部２１４内に配置され、且つ係止部１７３の前後は退避部２１４によって囲まれる。係止部１７４は退避部２２４内に配置され、且つ係止部１７４の前後は退避部２２４によって囲まれる。これにより、先述と同様に、第一ケース３３に対する第二ケース６０のスライド移動が規制される。
【００９３】
更に図１６（Ｃ）に示すように、上支持部２１３，２２３は回転ギア４３１Ａ，４３２Ａに夫々噛み合う。つまり、上支持部２１３及び下支持部５１４は、回転ギア４３１Ａを上下方向から挟む。上支持部２２３及び下支持部５２４は、回転ギア４３２Ａを上下方向から挟む。これにより、回転ギア４３１Ａ，４３２Ａの回転（つまり、軸部４３の前後移動）が規制される。
【００９４】
例えば、ケース３２に加えられた外力（ケース３２の振動等）が、軸部４３を移動させるように作用する場合がある。液体収容部１３３内に満たされたインクの反発力が、軸部４３を移動させるように作用する場合がある。このような場合でも、上記の構造によって軸部４３の移動が規制される。また、回転ギア４３１Ａ，４３２Ａは同位相で回転するように、ラックギアである下支持部５１４，５２４と夫々噛み合っている。従って、ケース３２に加えられた外力が加えられた場合でも、軸部４３の軸線方向（連結軸４３６の延伸方向）が、適正な軸線方向（本実施形態では左右方向）からズレることを抑制できる。
【００９５】
以上のように、完成後のカートリッジ３がテーブルから離れると、カートリッジ３が自然に開放することが防止され、且つ軸部４３の移動が規制される。従って作業者は、カートリッジ３を安定して持ち運びできる。例えば作業者はカートリッジ３をカートリッジ装着部８に装着する前に、カートリッジ３を揺動する。この場合、第二ケース６０のスライド移動と軸部４３の移動とを防止しつつ、液体収容部１３３内のインクが撹拌される。
【００９６】
その後、作業者は、カートリッジ３の前端側から開口部１２０に挿し込み、カートリッジ３をカートリッジ装着部８に装着する（図１参照）。カートリッジ３がカートリッジ装着部８内の底面に接触することで、押え板２１０，２２０は下降位置から上昇位置に移動する。軸部４３の移動規制が解除される。前述したように、カートリッジ３に収容された液体収容体３１の口栓７に配置されたゴム栓（図示略）に、液体収容体３１から液体を導出するための中空針（図示略）が刺さる。なお、仮に前壁部３３３を高くすると、中空針はゴム栓に刺さる前に前壁部３３３に当たる虞がある。本実施形態では、前壁部３３３に形成された逃がし部３３３Ａによって、中空針が前壁部３３３に当たることが抑制される。前壁部３３３は、中空針が刺されたゴム栓から漏れるインクがケース３２の外部に流出することを抑制する。
【００９７】
プリンタ１（図１参照）で印刷動作が行われると、液体収容部１３３内のインクが中空針を介して液体収容体３１の外部に導出され、プリンタ１のノズルから吐出される。液体収容部１３３からインクが導出されるのに伴って、軸部４３は弾性部材４５の付勢力によって、液体収容部１３３を巻き取りながら前方に移動する（図１６（Ｄ）参照）。湾曲領域１４６（図４参照）は、湾曲領域１４６より後側の部位より巻き取り難いので、湾曲領域１４６において軸部４３の移動が停止する。軸部４３が停止した位置が、軸部４３の移動の終了位置となる。
【００９８】
本実施形態では、左右に並ぶ二つの滑止部材３６０（図７参照）が、第一ケース３３に収容された液体収容袋１３のシート１３Ｂ（図５参照）を下方から支持する。液体収容袋１３のシート１３Ｂと滑止部材３６０の摺動摩擦が大きくなるので、液体収容袋１３が第一ケース３３内部で前後左右方向にずれにくい。液体収容袋１３が前後左右方向にずれにくいため、軸部４３が前後左右方向にずれることも抑制される。従って軸部４３は、液体収容体３１を確実に巻き取ることができる。
【００９９】
更に、各滑止部材３６０は、第一ケース３３に収容された液体収容体３１を、湾曲領域１４６の若干後側から延伸部１３４の若干前側までの範囲で夫々支持する（図６参照）。軸本体４３０が液体収容部１３３を巻き取るのに伴って、巻き取られた液体収容部１３３を含む軸本体４３０の直径が増大する。仮に湾曲領域１４６の若干後側よりも前側に各滑止部材３６０が設けられた場合、軸本体４３０に巻き取られた液体収容部１３３と各滑止部材３６０との摺動摩擦が大きくなり、軸部４３の移動を妨げる虞がある。本実施形態では、湾曲領域１４６の若干後側よりも前側には、各滑止部材３６０が設けられていない。軸本体４３０が液体収容部１３３の前端部まで巻き取ると、巻き取られた液体収容部１３３を含む軸本体４３０の全体は、各滑止部材３６０から前方に離れる。従って軸部４３は、各滑止部材３６０によって阻害されることなく、液体収容部１３３の前端部をスムーズに巻き取りできる。
【０１００】
以上説明したように、本実施形態のケース３２は、第一ケース３３、軸部４３、下支持部５１４，５２４、上支持部２１３，２２３、及び切替部材２０５を備える。第一ケース３３は、液体収容体３１を支持する支持壁部３４、支持壁部３４の前端部に設けられて口栓７を支持する口栓支持部３７、支持壁部３４に支持される液体収容体３１を挟んで支持壁部３４の両側に配置される側壁５１，５２を備える。左右方向に延びる軸部４３は、軸部４３の端部から軸部４３と略同軸で側壁５１，５２に向けて突出する軸支部４３１，４３２を有する。軸部４３は、後方へ復元力を生じるように付勢される弾性部材４５の後端部と係合して、弾性部材４５の付勢力で前方へ移動可能である。下支持部５１４，５２４は、側壁５１，５２に設けられ、前後方向に延びて軸支部４３１，４３２を支持する。上支持部２１３，２２３は、軸支部４３１，４３２を挟んで下支持部５１４，５２４とは反対側に設けられ、下支持部５１４，５２４との間で軸支部４３１，４３２を挟持可能である。切替部材２０５は、上支持部２１３，２２３が設けられ、上支持部２１３，２２３が下支持部５１４，５２４との間で軸支部４３１，４３２を狭持する作用位置と、上支持部２１３，２２３が軸支部４３１，４３２から離隔する解除位置との間で、上支持部２１３，２２３の位置を切り替える。
【０１０１】
これによれば、上支持部２１３，２２３が作用位置に切り替えられた場合、軸部４３の移動が規制される。この場合、ケース３２に外力が加えられても、軸部４３のズレが生じにくい。一方、上支持部２１３，２２３が解除位置に切り替えられた場合、軸部４３の移動規制が解除される。この場合、弾性部材４５によって付勢される軸部４３は、ケース３２内部に収容された液体収容体３１を巻き取り可能である。従ってケース３２は、外力が加えられた場合でも液体収容体３１を適正に巻き取り可能である。
【０１０２】
切替部材２０５は、押え板２１０，２２０、付勢部材２３０，２４０、及び脚部２１６，２２６を有する。押え板２１０，２２０は、側壁５１，５２と左右方向に並んで配置され、上支持部２１３，２２３が作用位置である下降位置と、上支持部２１３，２２３が解除位置である上昇位置との間で移動可能である。付勢部材２３０，２４０は、押え板２１０，２２０を付勢することで、押え板２１０，２２０を下降位置に保持する。脚部２１６，２２６は、押え板２１０，２２０が下降位置にある場合に、第一ケース３３に形成された開口部を介して、第一ケース３３から突出する。押え板２１０，２２０は、脚部２１６，２２６が押圧された場合、付勢部材２３０，２４０の付勢力に抗って下降位置から上昇位置に移動する。これによれば、開口部を介して第一ケースから脚部２１６，２２６が突出した状態である非押圧状態と、開口部を介して第一ケースから突出した脚部２１６，２２６を押圧した状態である押圧状態に応じて、押え板２１０，２２０を下降位置及び上昇位置に切り替えることで、上支持部２１３，２２３を作用位置と解除位置とに容易に切り替えできる。
【０１０３】
押え板２１０，２２０は、前後方向に延びる開口であるスライド開口２１２，２２２を備える。軸支部４３１，４３２は、スライド開口２１２，２２２の内部において前後方向に移動可能である。上支持部２１３，２２３は、軸支部４３１，４３２と対向するスライド開口２１２，２２２の上辺部に設けられる。これによれば、押え板２１０，２２０の設置スペース内に上支持部２１３，２２３を配置できるため、ケース３２の全体サイズを小型化できる。
【０１０４】
付勢部材２３０，２４０は、板バネである。第一ケース３３は、支持壁部３４に設けられた、付勢部材２３０，２４０の第一部分が係合される保持部３９８，３９９を有する。押え板２１０，２２０は、付勢部材２３０，２４０の第二部分が係合される係止孔２１７，２１８，２２７，２２８を有する。これによれば、板バネを用いた簡易な構造で、押え板２１０，２２０を下降位置に付勢して、上支持部２１３，２２３を作用位置に保持できる。
【０１０５】
付勢部材２３０，２４０が押え板２１０，２２０を付勢する付勢力は、少なくともケース３２の自重よりも小さい。これにより、脚部２１６，２２６が平面に接触するようにカートリッジ３を置くことで、押え板２１０，２２０を上昇位置に移動させて、上支持部２１３，２２３を解除位置に切り替えできる。
【０１０６】
軸支部４３１，４３２は、周方向に複数の歯が形成されたギアである。上支持部２１３，２２３及び下支持部５１４，５２４は、軸支部４３１，４３２が係合可能な複数の歯が前後方向に並んで形成されたラックである。これにより、上支持部２１３，２２３が作用位置に切り替えられた場合、軸支部４３１，４３２の回転を確実に規制できる。その結果、軸部４３の回転及びズレを、より確実に防止できる。
【０１０７】
なお、上支持部２１３，２２３及び下支持部５１４，５２４のうちの何れかが、軸支部４３１，４３２が係合可能な複数の歯が前後方向に並んで形成されたラックでもよい。この場合であっても、上支持部２１３，２２３が作用位置に切り替えられた場合、軸支部４３１，４３２の回転を確実に規制できる。また、上記実施形態において、上支持部２１３，２２３及び下支持部５１４，５２４が、軸部４３が移動可能な前後方向の範囲に渡って形成される。そのため、液体収容部１３３内のインク残量によって軸部４３がどの位置に移動していても、上支持部２１３，２２３が作用位置に切り替えられた場合、軸支部４３１，４３２の回転を確実に規制できる。
【０１０８】
第二ケース６０は、第一ケース３３に対して前後方向にスライド移動する。係止部１７３，１７４は、第二ケース６０に設けられ、押え板２１０，２２０に向けて突出する。退避部２１４，２１５，２２４，２２５は、押え板２１０，２２０に設けられた、係止部１７３，１７４を係止可能な部位である。押え板２１０，２２０が下降位置にある場合、退避部２１４，２１５，２２４，２２５が係止部１７３，１７４に接触することで、第二ケース６０のスライド移動が規制される。押え板２１０，２２０が上昇位置にある場合、退避部２１４，２１５，２２４，２２５が係止部１７３，１７４から離隔することで、第二ケース６０のスライド移動が可能になる。これにより、軸部４３の回転が規制されている状態で、第二ケース６０がスライド移動されることを防止できる。作業者は、上支持部２１３，２２３が解除位置に切り替えられた場合に、第二ケース６０をスライド移動できる。
【０１０９】
第二ケース６０がスライド移動の開始位置と終了位置の間の位置にある場合、係止部１７３，１７４は解除位置にある上支持部２１３，２２３を支持する。第二ケース６０がスライド移動の開始位置及び終了位置（例えば、開放位置及び閉鎖位置）の少なくとも一つにある場合、係止部１７３，１７４は上支持部２１３，２２３から離隔する。これにより、第二ケース６０がスライド移動中である場合、上支持部２１３，２２３が解除位置から作用位置に切り替えられることを防止できる。第二ケース６０のスライド移動中は軸部４３の移動は規制されないため、第二ケース６０のスライド移動が妨げられる虞がない。
【０１１０】
上記実施形態において、ケース３２は本発明の「カートリッジケース」の一例である。支持壁部３４は本発明の「底壁」の一例である。口栓支持部３７は本発明の「支持部」の一例である。側壁５１，５２は本発明の「側壁」の一例である。第一ケース３３は本発明の「ケース本体」の一例である。軸部４３は本発明の「軸部」の一例である。軸支部４３１，４３２は夫々、本発明の「軸支部」の一例である。下支持部５１４，５２４は夫々、本発明の「第一支持部」の一例である。上支持部２１３，２２３は夫々、本発明の「第二支持部」の一例である。切替部材２０５は、本発明の「切替部材」の一例である。押え板２１０，２２０は夫々、本発明の「可動体」の一例である。付勢部材２３０，２４０は夫々、本発明の「付勢部材」の一例である。脚部２１６，２２６は夫々、本発明の「突出部」の一例である。スライド開口２１２，２２２は夫々、本発明の「スライド開口」の一例である。保持部３９８，３９９は夫々、本発明の「第一バネ係合部」の一例である。係止孔２１７，２１８，２２７，２２８は夫々、本発明の「第二バネ係合部」の一例である。第二ケース６０は本発明の「ケース蓋」の一例である。係止部１７３，１７４は夫々、本発明の「第一係止部材」の一例である。退避部２１４，２１５，２２４，２２５は夫々、本発明の「規制部」の一例である。係止部１７３，１７４は夫々、本発明の「第二係止部材」の一例である。滑止部材３６０は本発明の「滑止部材」の一例である。
【０１１１】
本発明は、上記実施形態に限定されず、各種変形が可能である。以下の第一〜第三変形例の説明では、上記実施形態に対応する構成は同一符号を用いて説明を省略し、上記実施形態と異なる点を説明する。図７及び図１７を参照して、第一変形例に係るケース３２を説明する。第一変形例のケース３２は、押え板２１０，２２０（図６参照）、及び付勢部材２３０，２４０（図６参照）を備えていない。第一変形例の第二ケース６０は、第一壁部６５，６６（図１０参照）及び第二壁部６７，６８（図１０参照）を備えていない。
【０１１２】
第一変形例のケース３２では、上記実施形態と同様に、液体収容体３１がケース３２内に収容される。突出部４３１Ｂ，４３２Ｂは夫々、リブ５１５，５２５の各上側に配置されている。回転ギア４３１Ａ，４３２Ａは同位相で回転するように、ラックギアである下支持部５１４，５２４と夫々噛み合っている。軸部４３は弾性部材４５の付勢力によって、液体収容部１３３（図４参照）を巻き取りながら前方に移動する。
【０１１３】
第一変形例によれば、軸支部４３１，４３２は、周方向に複数の歯が形成されたギアである。下支持部５１４，５２４は、軸支部４３１，４３２が係合可能な複数の歯が前後方向に並んで形成されたラックである。ケース３２に外力が加えられた場合であっても、水平方向の外力や多少の振動であれば、軸部４３が前後方向にずれるのを防止できる。従ってケース３２は、外力が加えられた場合でも確実に液体収容部１３３を巻き取り可能である。
【０１１４】
なお、第一変形例のケース３２は、第二ケース６０を備えなくてもよい。第一変形例の第二ケース６０は、第一壁部６５，６６（図１０参照）及び第二壁部６７，６８（図１０参照）を備えてもよい。第一壁部６５，６６及び第二壁部６７，６８と下支持部５１４，５２４の間に軸支部４３１，４３２を配置することで、ケース３２に外力が加えられた場合であっても、より確実に軸部４３がずれるのを防止できる。
【０１１５】
図１８を参照して、第二変形例に係るケース３２を説明する。第二変形例のケース３２は、第一壁部６５，６６（図１０参照）を備えていない。この場合でも、第二変形例のケース３２は、押え板２１０，２２０を備えているので、上記実施形態と同様の効果を奏する。即ち、上支持部２１３，２２３（図６参照）が作用位置に切り替えられた場合、軸部４３の移動が規制されるため、ケース３２に外力が加えられても軸部４３のズレが生じにくい。上支持部２１３，２２３が解除位置に切り替えられた場合、弾性部材４５によって付勢される軸部４３は、ケース３２に外力が加えられた場合でも液体収容体３１（図１２参照）を適正に巻き取り可能である。
【０１１６】
図１９及び図２０を参照して、第三変形例に係るケース３２を説明する。第三変形例の第二ケース６０では、第一ケース３３の支持壁部３４に対向する第二内面６４４に、板状ゴムである滑止部材３７０が貼り付けられている。滑止部材３７０は、第二内面６４４の左右方向略中央において前後方向に延びる。滑止部材３７０は、第一ケース３３に収容された液体収容体３１に対して、湾曲領域１４６の若干後側から延伸部１３４の若干前側までの範囲で対向する。なお、回転ギア４３１Ａ，４３２Ａは、滑らかな周面を有する円盤状でもよい。下支持部５１４，５２４は、前後方向に延びる平板状でもよい。
【０１１７】
第三変形例のケース３２は、上記実施形態と同様に滑止部材３６０を備えているので、液体収容袋１３（図１２参照）が第一ケース３３内部で前後左右方向にずれにくい。また、例えば作業者は、液体収容部１３３（図４参照）内のインクを撹拌するために、ケース３２の上下方向を反転させてカートリッジ３を振る場合がある。この場合、第一ケース３３内部では、液体収容袋１３が支持壁部３４から浮き上がり、第二内面６４４にある滑止部材３７０に接触する。このとき滑止部材３７０は、液体収容袋１３が前後左右方向にずれることを防止するため、軸部４３が前後左右方向にずれることも抑制される。従って軸部４３は、液体収容体３１を確実に巻き取ることができる。第三変形例において、第二内面６４４は本発明の「上壁」の一例である。滑止部材３６０，３７０は夫々、本発明の「第一滑止部材」及び「第二滑止部材」の一例である。
【０１１８】
なお、上記実施形態及び変形例において、以下のような変形も可能である。ケース３２の左側で軸部４３の移動を規制する機構（上支持部２１３、下支持部５１４、回転ギア４３１Ａ等）と、ケース３２の右側で軸部４３の移動を規制する機構（上支持部２２３、下支持部５２４、回転ギア４３２Ａ等）のうち、何れか一つのみを設けてもよい。ケース３２の左側で第二ケース６０のスライド移動を規制する機構（退避部２１４，２１５、係止部１７３等）と、ケース３２の右側で第二ケース６０のスライド移動を規制する機構（退避部２２４，２２５、係止部１７４等）のうち、何れか一つのみを設けてもよい。
【０１１９】
上支持部２１３は、ラックに限定されず、回転ギア４３１Ａの回転を規制可能な部材（例えば、ゴム、樹脂等の弾性部材）でもよい。上支持部２２３も同様である。下支持部５１４は、ラックに限定されず、回転ギア４３１Ａを支持可能な部材（例えば、前後方向に延びる平板）でもよい。下支持部５２４も同様である。回転ギア４３１Ａは、円盤状のギアに限定されず、下支持部５１４に沿って移動可能な部材（例えば、滑らかな周面を有する円盤又は円柱）でもよい。回転ギア４３２Ａも同様である。
【０１２０】
ケース３２は、係止部１７３，１７４を備えなくてもよい。この場合、第二ケース６０が閉鎖位置と開放位置との間にある場合でも、ケース３２が平面から離れた場合は、押え板２１０，２２０は下降位置に移動して、第二ケース６０のスライド移動が規制される。
【０１２１】
係止部１７３に代えて、第一係止部及び第二係止部を別々に設けてもよい。第一係止部は、第二ケース６０が閉鎖位置と開放位置との間にある場合に、押え板２１０が下降位置に移動しないように係止する部位である。第二係止部は、第二ケース６０が閉鎖位置又は開放位置にある場合に、第二ケース６０のスライド移動を係止する部位である。係止部１７３に代えて、第一係止部及び第二係止部の少なくとも一つを設けてもよい。係止部１７４も同様である。
【０１２２】
脚部２１６は、押え板２１０に一つ設けてもよいし、押え板２１０に三つ以上設けてもよい。脚部２１６は、ケース３２の下方に突出するのに代えて、ケース３２の上方、前方、後方、左方、右方の何れかに突出してもよい。例えば脚部２１６がケース３２の前方に突出する場合、作業者が脚部２１６を上下方向に操作するのに応じて、押え板２１０が上昇位置と下降位置とに変位してもよい。脚部２２６も同様である。
【０１２３】
上支持部２１３は、押え板２２０に設けられなくてもよい。例えば上支持部２１３は、独立した単独の部材として設けられてもよいし、押え板２２０とは異なる部材に設けられてもよい。上支持部２１３は、ケース３２の側面に設けられたボタン（図示外）の操作に応じて、機械的又は電動的な機構によって作用位置及び解除位置に移動されてもよい。上支持部２２３も同様である。
【０１２４】
付勢部材２３０，２４０は、板バネではなく、他の弾性体（例えば、コイルバネ）でもよい。付勢部材２３０，２４０は、第一ケース３３とは別体でなく、第一ケース３３と一体成形されてもよい。軸支部４３１は、回転ギア４３１Ａ及び突出部４３１Ｂのうち、回転ギア４３１Ａのみを備えてもよい。軸支部４３２は、回転ギア４３２Ａ及び突出部４３２Ｂのうち、回転ギア４３２Ａのみを備えてもよい。  
【符号の説明】
【０１２５】
３２    ケース
３３    第一ケース
３４    支持壁部
３７    口栓支持部
４３    軸部
４５    弾性部材
５１，５２    側壁
６０    第二ケース
２０５    切替部材
２１０，２２０    押え板
２１２，２２２    スライド開口
２１３，２２３    上支持部
２１４，２１５，２２４，２２５    退避部
２１６，２２６    脚部
２１７，２１８，２２７，２２８    係止孔
２３０，２４０    付勢部材
３６０，３７０    滑止部材
３９８，３９９    保持部
４３１，４３２    軸支部
５１４，５２４    下支持部
【図１】
0006292153.tif 000002
【図２】
0006292153.tif 000003
【図３】
0006292153.tif 000004
【図４】
0006292153.tif 000005
【図５】
0006292153.tif 000006
【図６】
0006292153.tif 000007
【図７】
0006292153.tif 000008
【図８】
0006292153.tif 000009
【図９】
0006292153.tif 000010
【図１０】
0006292153.tif 000011
【図１１】
0006292153.tif 000012
【図１２】
0006292153.tif 000013
【図１３】
0006292153.tif 000014
【図１４】
0006292153.tif 000015
【図１５】
0006292153.tif 000016
【図１６】
0006292153.tif 000017
【図１７】
0006292153.tif 000018
【図１８】
0006292153.tif 000019
【図１９】
0006292153.tif 000020
【図２０】
0006292153.tif 000021